(57)【要約】【課題】  特別な機能を受信機に求めることなく、地域情報を受信機に送信することができる中継システム及び中継方法と送信局と中継局とを提供すること。【解決手段】  部分受信階層の地域情報を、データを多く伝送することができる固定受信階層に重畳する。中継局において、固定受信階層に地域情報が重畳された放送波を受信し、固定受信階層に重畳された地域情報の中から、中継局が管轄する範囲（地域）の地域情報を抽出する。そして、この地域情報を部分受信階層に重畳して送信する。【選択図】  図２
2006217004.tif 000002
【特許請求の範囲】
【請求項１】
マルチキャリア方式による複数の階層から成る放送波の中継システムであって、
データ伝送量の多い第１の階層に複数の地域情報が重畳された放送波を送信する送信局と、
前記放送波を受信し、受信した放送波の第１の階層から自局の地域情報を取り出し、取り出した地域情報を、前記第１の階層よりもデータ伝送量の少ない第２の階層に重畳して再送信する中継局と
を有することを特徴とする中継システム。
【請求項２】
前記第１の階層が固定受信向けの階層であり、前記第２の階層が部分受信向けの階層であることを特徴とする請求項１に記載の中継システム。
【請求項３】
前記地域情報に中継局を識別する識別情報を付し、前記中継局は自局の識別情報に対応する地域情報を抽出し、この地域情報を第２の階層に重畳して再送信するように構成されていることを特徴とする請求項１又は請求項２に記載の中継システム。
【請求項４】
前記送信局は、新たな地域情報のみ送信を行うように構成され、
前記中継局は、受信した地域情報を記憶し、記憶されている地域情報を、データカルーセル方式により、送信するように構成されている
ことを特徴とする請求項１から請求項３のいずれかに記載の中継システム。
【請求項５】
前記中継局は、中継局を識別する識別情報を第２の階層に重畳して再送信するように構成されていることを特徴とする請求項１から請求項４のいずれかに記載の中継システム。
【請求項６】
前記送信局は、イベントメッセージの生成に関する情報を第１の階層に重畳して送信する手段を有し、
前記中継局は、前記情報に基づいて、イベントメッセージを生成し、第２の階層に重畳して送信する手段を有することを特徴とする請求項１から請求項５のいずれかに記載の中継システム。
【請求項７】
マルチキャリア方式による複数の階層から成る放送波を送信する送信局であって、
データ伝送量の多い第１の階層に複数の地域情報が重畳された放送波を送信する手段を有することを特徴とする送信局。
【請求項８】
前記第１の階層が固定受信向けの階層であることを特徴とする請求項７に記載の送信局。
【請求項９】
前記地域情報に中継局を識別する識別情報を付することを特徴とする請求項７又は請求項８に記載の送信局。
【請求項１０】
前記送信局は、新たな地域情報のみ送信を行うように構成されていることを特徴とする請求項７から請求項９のいずれかに記載の送信局。
【請求項１１】
前記送信局は、イベントメッセージの生成に関する情報を第１の階層に重畳して送信する手段を有することを特徴とする請求項７から請求項１０のいずれかに記載の送信局。
【請求項１２】
マルチキャリア方式による複数の階層から成る放送波のデータ伝送量の多い第１の階層に複数の地域情報が重畳された放送波を受信して再送信を行う中継局であって、
受信した放送波の第１の階層から自局の地域情報を取り出し、取り出した地域情報を、前記第１の階層よりもデータ伝送量の少ない第２の階層に重畳して再送信する手段を有することを特徴とする中継局。
【請求項１３】
前記第１の階層が固定受信向けの階層であり、前記第２の階層が部分受信向けの階層であることを特徴とする請求項１２に記載の中継局。
【請求項１４】
前記地域情報に中継局を識別する識別情報を付し、前記中継局は自局の識別情報に対応する地域情報を抽出し、この地域情報を第２の階層に重畳して再送信するように構成されていることを特徴とする請求項１２又は請求項１３に記載の中継局。
【請求項１５】
前記中継局は、受信した地域情報を記憶し、記憶されている地域情報を、データカルーセル方式により、送信するように構成されていることを特徴とする請求項１２から請求項１４のいずれかに記載の中継局。
【請求項１６】
前記中継局は、中継局を識別する識別情報を第２の階層に重畳して再送信するように構成されていることを特徴とする請求項１２から請求項１５のいずれかに記載の中継局。
【請求項１７】
前記中継局は、第１の階層に重畳されたイベントメッセージの生成に関する情報に基づいて、イベントメッセージを生成して第２の階層に重畳して送信する手段を有することを特徴とする請求項１２から請求項１６のいずれかに記載の中継局。
【請求項１８】
マルチキャリア方式による複数の階層から成る放送波の中継方法であって、
送信局から、データ伝送量の多い第１の階層に複数の地域情報が重畳された放送波を送信し、
中継局で、前記放送波を受信し、受信した放送波の第１の階層から自局の地域情報を取り出し、取り出した地域情報を、前記第１の階層よりもデータ伝送量の少ない第２の階層に重畳して再送信すること
を特徴とする中継方法。
【請求項１９】
前記第１の階層が固定受信向けの階層であり、前記第２の階層が部分受信向けの階層であることを特徴とする請求項１８に記載の中継方法。
【請求項２０】
前記地域情報に中継局を識別する識別情報を付し、前記中継局は自局の識別情報に対応する地域情報を抽出し、この地域情報を第２の階層に重畳して再送信することを特徴とする請求項１８又は請求項１９に記載の中継方法。
【請求項２１】
前記送信局は、新たな地域情報のみ送信し、
前記中継局は、受信した地域情報を記憶し、記憶されている地域情報を、データカルーセル方式により、送信することを特徴とする請求項１８から請求項２０のいずれかに記載の中継方法。
【請求項２２】
前記中継局は、中継局を識別する識別情報を第２の階層に重畳して再送信することを特徴とする請求項１８から請求項２１のいずれかに記載の中継方法。
【請求項２３】
前記送信局は、イベントメッセージの生成に関する情報を第１の階層に重畳して送信し、
前記中継局は、前記情報に基づいて、イベントメッセージを生成し、第２の階層に重畳して送信することを特徴とする請求項１８から請求項２２のいずれかに記載の中継方法。
【発明の詳細な説明】
【技術分野】
【０００１】
本発明は中継システム及び中継方法と送信局と中継局とに関し、特に、データ伝送量の多い第１の階層に複数の地域情報が重畳された放送波を送信局から受信し、中継局で、受信した放送波の第１の階層から自局の地域情報を取り出し、取り出した地域情報を、前記第１の階層よりもデータ伝送量の少ない第２の階層に重畳して再送信する技術に関する。
【背景技術】
【０００２】
近年、地上アナログ放送波に代わる放送として、地上デジタル放送が開始された。この地上デジタル放送システムはマルチキャリア方式であり、１チャンネルの伝送帯域(帯域幅６MHz)のうち、ガードバンドとして４２９kHzを割り当て、残りの帯域幅を１３個のセグメントに分割したＯＦＤＭ(Orthogonal Frequency Division Multiplexing)方式によって放送されている。尚、セグメントとは、データキャリアに制御信号キャリアを付加した伝送信号の基本帯域（ガードバンドを除くテレビチャンネル帯域の１／１３）信号である。１３セグメントに分割された１チャンネルの伝送帯域は、セグメントごとに、伝送パラメータや伝送する情報を設定することができる。
【０００３】
このため、１チャンネルで高精細テレビジョン放送を放送したり、１チャンネルで複数の標準テレビジョン放送や、データ放送などさまざまなサービスを組み合わせて放送したりすることができる。
【０００４】
また、一部のセグメント（階層）の伝送パラメータを妨害に強く設定（例えば、変調方式をかえる）することにより、家庭での受信に加えて、自動車等の移動体での受信や携帯端末の受信（以下、部分受信と称する）に適したサービスを行うことも可能である。地上デジタル放送では、１３個のセグメントの中央の１セグメントを携帯向け放送サービス（部分受信）を行う予定であり、この携帯端末等を用いた部分受信用の放送サービスを拡充する為に中継局を設けて受信可能エリアを拡大する検討がなされている。
【０００５】
一方で、それらの携帯向け放送サービス（部分受信）において、地域性の高い複数の情報を１セグメント内で送信し、その情報の中から視聴場所にあった地域性の高い情報のみ受信側で選択する技術がある。
【０００６】
また、通信可能な携帯端末では、ＧＰＳ等により取得される位置情報に基づいて、その位置情報に対応する地域情報をサーバ等から取得する技術もある（例えば、特許文献１）。
【特許文献１】特開２０００−１１５７２４号公報
【発明の開示】
【発明が解決しようとする課題】
【０００７】
しかし、上述のように１セグメント内に複数の地域情報を送信し、受信側でその地域に対する情報を選択的に取得する技術は、送信する地域情報が複数ある為に全体のデータ量が大きくなってしまい、１セグメントというデータ伝送量が限られた帯域を用いる携帯向けサービスでは、全ての地域情報を送ることはできず、実現が困難であるという課題があった。
【０００８】
また、ＧＰＳ等により取得される位置情報に基づいて、その位置情報に対応する地域情報をサーバ等から取得する技術は、位置情報をＧＰＳ等の手段で取得しなければならず、ＧＰＳ等の位置取得手段がない端末では利用できなかった。また、端末は、位置情報に対応する地域情報に変換するサーバと通信する必要があり、通信が不可能なエリアにおいては機能しないという課題があった。
【０００９】
そこで、本発明は上記課題に鑑みて発明されたものであって、特別な機能を受信機に求めることなく、視聴地域に関連した地域情報を受信機に送信することができる中継システム及び中継方法と送信局と中継局とを提供することにある。
【課題を解決するための手段】
【００１０】
上記課題を解決する第１の発明は、マルチキャリア方式による複数の階層から成る放送波の中継システムであって、データ伝送量の多い第１の階層に複数の地域情報が重畳された放送波を送信する送信局と、前記放送波を受信し、受信した放送波の第１の階層から自局の地域情報を取り出し、取り出した地域情報を、前記第１の階層よりもデータ伝送量の少ない第２の階層に重畳して再送信する中継局とを有することを特徴とする。
【００１１】
上記課題を解決する第２の発明は、上記第１の発明において、前記第１の階層が固定受信向けの階層であり、前記第２の階層が部分受信向けの階層であることを特徴とする。
【００１２】
上記課題を解決する第３の発明は、上記第１又は第２の発明において、前記地域情報に中継局を識別する識別情報を付し、前記中継局は自局の識別情報に対応する地域情報を抽出し、この地域情報を第２の階層に重畳して再送信するように構成されていることを特徴とする。
【００１３】
上記課題を解決する第４の発明は、上記第１から第３のいずれかの発明において、前記送信局は、新たな地域情報のみ送信を行うように構成され、前記中継局は、受信した地域情報を記憶し、記憶されている地域情報を、データカルーセル方式により、送信するように構成されていることを特徴とする。
【００１４】
上記課題を解決する第５の発明は、上記第１から第４のいずれかの発明において、前記中継局は、中継局を識別する識別情報を第２の階層に重畳して再送信するように構成されていることを特徴とする。
【００１５】
上記課題を解決する第６の発明は、上記第１から第５のいずれかの発明において、前記送信局は、イベントメッセージの生成に関する情報を第１の階層に重畳して送信する手段を有し、前記中継局は、前記情報に基づいて、イベントメッセージを生成し、第２の階層に重畳して送信する手段を有することを特徴とする。
【００１６】
上記課題を解決する第７の発明は、マルチキャリア方式による複数の階層から成る放送波を送信する送信局であって、データ伝送量の多い第１の階層に複数の地域情報が重畳された放送波を送信する手段を有することを特徴とする。
【００１７】
上記課題を解決する第８の発明は、上記第７の発明において、前記第１の階層が固定受信向けの階層であることを特徴とする。
【００１８】
上記課題を解決する第９の発明は、上記第７又は第８の発明において、前記地域情報に中継局を識別する識別情報を付することを特徴とする。
【００１９】
上記課題を解決する第１０の発明は、上記第７から第９のいずれかの発明において、前記送信局は、新たな地域情報のみ送信を行うように構成されていることを特徴とする。
【００２０】
上記課題を解決する第１１の発明は、上記第７から第１０のいずれかの発明において、前記送信局は、イベントメッセージの生成に関する情報を第１の階層に重畳して送信する手段を有することを特徴とする。
【００２１】
上記課題を解決する第１２の発明は、マルチキャリア方式による複数の階層から成る放送波のデータ伝送量の多い第１の階層に複数の地域情報が重畳された放送波を受信して再送信を行う中継局であって、受信した放送波の第１の階層から自局の地域情報を取り出し、取り出した地域情報を、前記第１の階層よりもデータ伝送量の少ない第２の階層に重畳して再送信する手段を有することを特徴とする。
【００２２】
上記課題を解決する第１３の発明は、上記第１２の発明において、前記第１の階層が固定受信向けの階層であり、前記第２の階層が部分受信向けの階層であることを特徴とする。
【００２３】
上記課題を解決する第１４の発明は、上記第１２又は第１３の発明において、前記地域情報に中継局を識別する識別情報を付し、前記中継局は自局の識別情報に対応する地域情報を抽出し、この地域情報を第２の階層に重畳して再送信するように構成されていることを特徴とする。
【００２４】
上記課題を解決する第１５の発明は、上記第１２から第１４のいずれかの発明において、前記中継局は、受信した地域情報を記憶し、記憶されている地域情報を、データカルーセル方式により、送信するように構成されていることを特徴とする。
【００２５】
上記課題を解決する第１６の発明は、上記第１２から第１５のいずれかの発明において、前記中継局は、中継局を識別する識別情報を第２の階層に重畳して再送信するように構成されていることを特徴とする。
【００２６】
上記課題を解決する第１７の発明は、上記第１２から第１６のいずれかの発明において、前記中継局は、第１の階層に重畳されたイベントメッセージの生成に関する情報に基づいて、イベントメッセージを生成して第２の階層に重畳して送信する手段を有することを特徴とする。
【００２７】
上記課題を解決する第１８の発明は、マルチキャリア方式による複数の階層から成る放送波の中継方法であって、送信局から、データ伝送量の多い第１の階層に複数の地域情報が重畳された放送波を送信し、中継局で、前記放送波を受信し、受信した放送波の第１の階層から自局の地域情報を取り出し、取り出した地域情報を、前記第１の階層よりもデータ伝送量の少ない第２の階層に重畳して再送信することを特徴とする。
【００２８】
上記課題を解決する第１９の発明は、上記第１８の発明において、前記第１の階層が固定受信向けの階層であり、前記第２の階層が部分受信向けの階層であることを特徴とする。
【００２９】
上記課題を解決する第２０の発明は、上記第１８又は第１９の発明において、前記地域情報に中継局を識別する識別情報を付し、前記中継局は自局の識別情報に対応する地域情報を抽出し、この地域情報を第２の階層に重畳して再送信することを特徴とする。
【００３０】
上記課題を解決する第２１の発明は、上記第１８から第２０のいずれかの発明において、前記送信局は、新たな地域情報のみ送信し、前記中継局は、受信した地域情報を記憶し、記憶されている地域情報を、データカルーセル方式により、送信することを特徴とする。
【００３１】
上記課題を解決する第２２の発明は、上記第１８から第２１のいずれかの発明において、前記中継局は、中継局を識別する識別情報を第２の階層に重畳して再送信することを特徴とする。
【００３２】
上記課題を解決する第２３の発明は、上記第１８から第２２のいずれかの発明において、前記送信局は、イベントメッセージの生成に関する情報を第１の階層に重畳して送信し、前記中継局は、前記情報に基づいて、イベントメッセージを生成し、第２の階層に重畳して送信することを特徴とする。
【発明の効果】
【００３３】
本発明は、多くのデータを伝送可能な階層を利用して大容量の地域情報を送信し、中継局において、その階層から該当する地域情報を抽出し、この地域情報を移動体や携帯受信向けの階層に重畳して再送信することにより、受信機側に、ＧＰＳ等の位置取得のような特別の機能を設けることなく、地域情報の提供サービスが可能となるという優れた効果を奏する。
【００３４】
また、中継局に地域情報を保持しておく記憶手段を設け、送信局と中継局との間では一度送信した地域情報等のデータを複数回送ることはせず、中継局側では一度受信した地域情報等のデータを蓄積しておき、この蓄積したデータにより、通常のデータカルーセル方式によって繰り返し、情報を送信するように構成することにより、地域情報を重畳する階層（帯域）に余裕ができ、多くの地域情報を送信することができ、地域情報を受け取ることができる中継局の数が飛躍的に増加するという優れた効果を奏する。
【発明を実施するための最良の形態】
【００３５】
本発明の実施の形態について説明する。
【００３６】
本発明が適用されるマルチキャリア方式の放送の代表的なものとして、地上デジタル放送がある。現在の地上デジタル放送は、図１に示される如く、帯域幅６MHzに１チャンネルが割り当てられ、６MHzの帯域のうち、ガードバンドとして４２９kHzを割り当て、残りの帯域幅を１３個のセグメントに分割したＯＦＤＭ(Orthogonal Frequency Division Multiplexing)方式によって放送されている。１セグメントの帯域は４２９kHzであり、１３個のセグメントは、例えば、第１の階層、第２の階層といったように複数の階層に分けることができる。そして、各階層は異なる変調方式を取ることができ、その結果、階層ごとに伝送できるデータ量が異なる。
【００３７】
例えば、中央部の１セグメントを携帯受信機向けの部分受信階層（強階層）に割り当て、他のセグメントから成る階層を固定受信向けの固定受信階層（弱階層）にすることが検討されている。
【００３８】
固定受信階層（弱階層）は、家庭に設置されるテレビ受信機に代表されるように安定した受信が望める環境での視聴を対象としている為、受信環境の変化に対応できる変調方式よりも、データを多く伝送することができるような変調方式が採用されている。
【００３９】
一方、部分受信階層（強階層）は、テレビ視聴が可能な携帯電話に代表されるように、放送波を移動しながら受信することを前提にしており、データの伝送量よりも、受信環境の変化に対応できる変調方式が検討されている。また、部分受信階層を受信している視聴者は、何らかの目的で視聴している場所に居るので、部分受信階層で提供する情報も、その場所に関連した地域情報を提供することが望ましい。ここで、地域情報とは、その地域に関連した広告や、地域の宣伝、情報のみならず、災害情報等も含む概念である。
【００４０】
そこで、本発明は、データを多く伝送することができる固定受信階層に部分受信階層の地域情報が重畳された放送波を送信局から送信する。そして、中継局において、固定受信階層に重畳された地域情報の中から、中継局が管轄する範囲（地域）の地域情報を抽出し、この地域情報を部分受信階層に重畳して再送信するものである。
【００４１】
図２は本発明の概略を示した図であり、送信局１０から送信される放送波４０を、複数の中継局２０１、２０２‥が中継して放送波４１１、４１２、‥を再送信し、管轄する範囲に存在する受信機３０が受信する構成を示したものである。
【００４２】
送信局１０から送信される放送波４０は、ＯＦＤＭ方式の放送波であり、データ伝送量が多い固定受信階層と、この固定受信階層よりもデータ伝送量が少ない部分受信階層との二つの階層から成る。そして、固定受信階層には地域情報１〜地域情報８が重畳されている。
【００４３】
複数の中継局２０１、２０２、‥は放送波４０を受信し、この放送波４０の固定受信階層から、地域情報の識別情報等に基づいて、自局用の地域情報を抽出し、この地域情報を部分受信階層に重畳して再送信する。例えば、中継局２０１では、固定受信階層に重畳されている地域情報１〜地域情報８から、自局の地域情報１を抽出し、この地域情報１を部分受信階層に重畳して、放送波４１１を再送信する。また、中継局２０２では、固定受信階層に重畳されている地域情報１〜地域情報８から、自局の地域情報２を抽出し、この地域情報２を部分受信階層に重畳して、放送波４１２を再送信する。
【００４４】
受信機３０では、中継局から再送信された放送波の部分受信階層を受信し、この部分受信階層に重畳されている地域情報を表示する。例えば、中継局２０１から再送信された放送波４１１を受信している受信機３０では、放送波４１１の部分受信階層に重畳されている地域情報１が表示される。また、中継局２０２から再送信された放送波４１２を受信している受信機３０では、放送波４１２の部分受信階層に重畳されている地域情報２が表示される。
【００４５】
このように、各受信機３０は、放送波を受信している地域に関連した地域情報を受信することができる。
【００４６】
以下に、具体的な実施例を説明する。
【実施例１】
【００４７】
本発明の実施例１を説明する。
【００４８】
図３は実施例１における送信局１０のブロック図である。
【００４９】
送信局１０は、送信するＴＳ（Transport Stream、以下、単にＴＳと称する）パケットが格納された記憶部１１と、格納されているＴＳパケットを放送波として送出する送出部１２とを有する。
【００５０】
格納されているＴＳは、例えば、固定受信階層に地域情報が重畳され、部分受信階層に地域共通の共通情報が重畳されたものである。図４に、送信局１０から送出される、地域情報が重畳されたＴＳの構成例を示す。
【００５１】
図４に示す如く、ＴＳは、固定受信階層のＥＳ（Elementary Stream、以下、単にＥＳと称する）１００、ＥＳ２００と、部分受信階層のＥＳ３００とからなる。
【００５２】
固定受信階層向けのＥＳ１００はモジュール１１０とモジュール１２０とを有する。
【００５３】
モジュール１１０には、リソースとして、制御情報１１１（識別情報２０１）及び制御情報１１２（識別情報２０２）が格納されている。尚、制御情報１１１及び制御情報１１２は、中継局が部分階層に重畳する地域情報の指定や、地域情報の送出時間のタイミング等を記載したものである。また、上記記載の制御情報１１１及び制御情報１１２の括弧書きは、その制御情報がいずれの中継局のものなのかを識別する識別情報を示すものである。この識別情報は、中継局毎に異なる識別子が付され、例えば、中継局２０１の制御情報ならば、２０１というように付される。
【００５４】
モジュール１２０には、リソースとして、地域情報１２１（識別情報２０１−１）及び地域情報１２２（識別情報２０２−１）が格納されている。尚、上記記載の地域情報１２１及び地域情報１２２の括弧書きは、その地域情報がいずれの中継局のものなのかを識別する識別情報を示すものである。この識別情報は、中継局毎に異なる識別子が付され、例えば、中継局２０１の地域情報の一番目のものならば、２０１−１というように付される。
【００５５】
固定受信階層向けのＥＳ２００は、モジュール２１０を有する。モジュール２１０には、リソースとして、地域情報２２１（識別情報２０１−２）が格納されている。尚、上記記載の地域情報２２１の括弧書きは、上記と同様に、その地域情報がいずれの中継局のものなのかを識別する識別情報を示すものである。
【００５６】
部分受信階層向けのＥＳ３００は、モジュール３１０を有する。モジュール３１０には、リソースとして、部分受信階層の受信に共通な共通情報３２１が格納されている。
【００５７】
以上如く説明したＴＳが送信局１０から送出される。
【００５８】
次に、中継局について説明する。尚、各中継局２０１、２０２、‥は同様な構成であるので、中継局２０１についてのみ説明し、他の中継局の説明は省略する。
【００５９】
図５は実施例１の中継局２０１のブロック図である。
【００６０】
中継局２０１は、図５に示す如く、放送波を受信する受信部２１と、放送波を復調する復調部２２と、自局の識別情報を保持する中継局識別情報保持部２３と、識別情報に基づいて地域情報及び制御情報を抽出する抽出部２４と、抽出された制御情報及び地域情報が格納される記憶部２５と、制御情報に基づいて、記憶している地域情報を部分受信階層に重畳する重畳部２６と、地域情報が重畳された信号を変調する変調部２７と、変調された信号を再送信する送信部２８とを有する。
【００６１】
続いて、中継局２０１の動作を、中継局２０１が上述した図４に示されるＴＳを受信した場合を例にして説明する。
【００６２】
まず、送信局からの放送波が受信部２１により受信され、復調部２２により復調される。そして、復調されたＴＳは抽出部２４に入力される。
【００６３】
抽出部２４は、予め送信局と中継局との間で定められた規約により、制御情報及び地域情報の格納が定められたモジュールから、中継局識別情報保持部２３で保持されている識別情報に基づいて、自局の制御情報及び地域情報を抽出する。尚、制御情報及び地域情報の格納又は指定の方法であるが、モジュールのみならず、ＥＳ、リソースレベルで指定するようにしても良い。また、制御情報及び地域情報が格納されているＥＳやモジュール、又はリソース自体を、送信局からＰＭＴ（Program Map Table）等のＰＳＩ/ＳＩによって指定するようにしても良い。
【００６４】
図４の例では、制御情報はモジュール１１０に格納され、地域情報はモジュール１２０及びモジュール２１０に格納されている。抽出部２４は、中継局識別情報保持部２３に保持されている自局の識別情報（識別情報＝２０１）に対応する制御情報及び地域情報を抽出する。図４の例では、モジュール１１０から制御情報１１１（識別情報＝２０１）を抽出し、モジュール１２０から地域情報１２１（識別情報＝２０１−１）を抽出し、モジュール２１０から地域情報２２１（識別情報＝２０１−２）を抽出する。そして、抽出した制御情報及び地域情報は、記憶部２５に格納される。
【００６５】
続いて、重畳部２６は、記憶部２５に格納されている制御情報１１１の指示（送出時間や、地域情報の組み合わせ等）に基づいて、地域情報１２１及び地域情報２２１を部分受信階層に重畳する。地域情報１２１及び地域情報２２１を部分受信階層に重畳した場合のＴＳの具体例を図６に示す。
【００６６】
図６では、図４に示すＴＳと同様に、固定受信階層のＥＳ１００、ＥＳ２００と、部分受信階層のＥＳ３００とからなる。
【００６７】
固定受信階層向けのＥＳ１００はモジュール１１０とモジュール１２０とを有し、モジュール１１０には、リソースとして、制御情報１１１（識別情報２０１）及び制御情報１１２（識別情報２０２）が格納されている。モジュール１２０には、リソースとして、地域情報１２１（識別情報２０１−１）及び地域情報１２２（識別情報２０２−１）が格納されている。固定受信階層向けのＥＳ２００は、モジュール２１０を有する。モジュール２１０には、リソースとして、地域情報２２１（識別情報２０１−２）が格納されている。
【００６８】
しかしながら、部分受信階層向けのＥＳ３００はモジュール３１０を有し、モジュール３１０には、リソースとして、共通情報３２１が格納されているが、これに加えて重畳部２６により重畳された地域情報１２１及び地域情報２２１も格納されている。
【００６９】
上述の如く、地域情報が重畳された信号は変調部２７により変調され、変調された信号は送信部２８により、再送信される。
【００７０】
受信機では、中継局から再送信された放送波を受信することにより、受信機には共通情報３２１が表示されるに加えて、重畳部２６により重畳された地域情報１２１及び地域情報２２１も表示される。尚、受信機は、通常の規格に沿った受信機であるので、詳細な説明は省略する。
【００７１】
また、上述した実施例では、再送信の際、固定受信階層に重畳した地域情報をそのまま再送信したが、中継局で除去して再送信するようにしても良い。
【００７２】
また、部分階層に重畳されている共通情報に代えて、地域情報に差替えるような構成にしても良い。
【００７３】
また、地域情報として通信コンテンツを一意に識別するＵＲＬを記載することで、通信機能を有する部分受信向け受信機は、通信が可能なエリアにおいて当該ＵＲＬに対応する通信コンテンツをダウンロードして表示することもできる。
【００７４】
更に、中継局から放送波を送信する際、中継局の識別情報も部分階層に重畳して送信すれば、受信機にＧＰＳ等の位置取得手段がなくても、受信機は中継局の識別情報を受信機が存在するエリアを示す位置情報として利用することもできる。
【実施例２】
【００７５】
本発明の第２の実施例を説明する。
【００７６】
現在のデジタル放送におけるデータ放送等では、視聴者が同一タイミングで受信するとは限らないので、同じ情報を繰り返し送信するデータカルーセル方式を採用している。
【００７７】
しかし、データカルーセル方式を採用することにより、同じ情報を繰り返し送信するので、伝送する情報の内容や量が限られてしまうことも事実である。特に、本発明のように複数の異なる地域情報を中継局に送信しなければならない場合、送信局と中継局との間の帯域を有効に利用する必要がある。
【００７８】
そこで、実施例２では、送信局と中継局との間で有効に帯域を利用する例について説明する。
【００７９】
実施例２は、送信局１０から中継局２０１、２０２、２０３‥との間では、一度送信した地域情報等のデータは複数回送信せず、中継局側において、受信した地域情報等のデータを蓄積しておき、この蓄積したデータにより、通常のデータカルーセル方式によって繰り返し、情報を再送信するように構成する。
【００８０】
このような機能を実現するため、図７に示す如く、送信局では、図３の構成に加えて、検出部６０を設け、地域情報の２度の送信を防止している。
【００８１】
また、中継局では、図８に示す如く、更新検出部７０を設け、地域情報の更新を検出し、更新された地域情報を記憶部２５に記憶・更新する。これにより、重畳部２６は、記憶部２５に格納されている地域情報を重畳すれば良いことになる。
【００８２】
次に、具体的な動作を、図９を用いて説明する。
【００８３】
まず、送信局１０からは、中継局２０１の地域情報２０１−１、地域情報２０１−２及び地域情報２０１−３と、中継局２０２の地域情報２０２−１、地域情報２０２−２及び地域情報２０２−３とを、上述の実施例１と同様に、固定受信階層に重畳したＴＳが送信される。
【００８４】
中継局２０１では、地域情報が重畳されたＴＳを受信し、このＴＳから自局の地域情報２０１−１、地域情報２０１−２及び地域情報２０１−３を抽出して蓄積し、これらを部分受信階層に重畳したＴＳを、データカルーセル方式で繰り返し送出する。
【００８５】
同様に、中継局２０２では、地域情報が重畳されたＴＳを受信し、このＴＳから自局の地域情報２０２−１、地域情報２０２−２及び地域情報２０２−３を抽出して蓄積し、これらを部分受信階層に重畳したＴＳを、データカルーセル方式で繰り返し送出する。
【００８６】
送信局１０では、一度送信した中継局２０１の地域情報２０１−１、地域情報２０１−２及び地域情報２０１−３と、中継局２０２の地域情報２０２−１、地域情報２０２−２及び地域情報２０２−３とは送信せず、新たに、中継局２０３の地域情報２０３−１、地域情報２０３−２及び地域情報２０３−３を固定受信階層に重畳したＴＳを送信する。
【００８７】
中継局２０１では、地域情報が重畳されたＴＳを受信するが、自局の地域情報は含まれていないので、地域情報を更新する処理は行われない。
【００８８】
同様に、中継局２０２も、地域情報が重畳されたＴＳを受信するが、自局の地域情報は含まれていないので、地域情報を更新する処理は行われない。
【００８９】
中継局２０３では、地域情報が重畳されたＴＳを受信し、このＴＳには自局の地域情報が含まれているので、そのＴＳから自局の地域情報２０３−１、地域情報２０３−２及び地域情報２０３−３を抽出して蓄積し、これらを部分受信階層に重畳したＴＳをデータカルーセル方式で繰り返し送出する。
【００９０】
従来、送信局１０で行われていたデータカルーセル方式では何度も同じ情報を送信するので、中継局２０１及び中継局２０２の地域情報しか送信することができなかったが、実施例２の発明を適用することにより、中継局２０３、更には他の中継局の地域情報を送信することができるようになり、地域情報を受け取ることができる中継局の数が飛躍的に増加する。
【００９１】
また、地域情報を記憶部２５に蓄積しているので、制御情報により、既に蓄積されている地域情報と、新たに送った地域情報とを組み合わせて部分階層に重畳して送信することもできる。
【００９２】
さらに、制御情報も同様に記憶部２５に蓄積することができるので、更新のない制御情報を何度も送信する必要がなくなる。
【実施例３】
【００９３】
本発明の第３の実施例を説明する。
【００９４】
現在のデジタル放送では、放送を受信している受信機の動作を制御する手段の一つとして、イベントメッセージを採用している。実施例３では、このイベントメッセージを中継局で生成して地域情報に活用する例を説明する。
【００９５】
実施例３の中継局は、図１０に示される如く、上述した実施例１の構成に加えて、イベントメッセージを生成するイベントメッセージ生成部８０を有する。イベントメッセージの生成を制御する制御情報は、上述した抽出部２４により抽出され記憶部２５に格納された制御情報のうち、イベントメッセージの生成に関する制御情報であり、予め送信局と中継局との間で定められた規約により定められたモジュールなどに格納されて送信局から送信される。尚、制御情報の格納又は指定の方法であるが、モジュールのみならず、ＥＳ、リソースレベル、さらには送信局より中継局に対するイベントメッセージで指定するようにしても良い。また、制御情報が格納されているＥＳやモジュール、又はリソース自体、さらにはイベントメッセージを、送信局からＰＭＴ（Program Map Table）等のＰＳＩ/ＳＩによって指定するようにしても良い。
【００９６】
イベントメッセージ生成部８０は、記憶部２５に格納された制御情報のうち、イベントメッセージの生成を制御する制御情報に基づいて、この制御情報により指定された地域情報を用いて部分受信階層向けのイベントメッセージを生成する手段である。また、この制御情報は生成されたイベントメッセージを中継局より送信するタイミングを制御することもできる。
【００９７】
イベントメッセージ生成部８０では、制御情報に基づいて、２種類のイベントメッセージを生成する。
【００９８】
一つは、制御情報により指定された地域情報を、イベントメッセージのプライベートデータ領域に記載し、この地域情報の表示タイミングを含むイベントメッセージを生成し、重畳部２６に出力する。このようなイベントメッセージは、地域の緊急情報、例えば、災害情報等に有効である。
【００９９】
他のイベントメッセージは、モジュールなどの形式で予め部分受信階層で送られた地域情報の表示タイミングを規定するイベントメッセージである。この場合、表示すべき地域情報を識別する情報と、その地域情報の表示タイミング等を記載したイベントメッセージを生成し、重畳部２６に出力する。
【０１００】
このようにすることにより、イベントメッセージを、地域情報の提供に有効に活用することができる。
【図面の簡単な説明】
【０１０１】
【図１】図１は地上デジタル放送を説明する為の図である。
【図２】図２は本発明の概略を示した図である。
【図３】図３は実施例１における送信局１０のブロック図である。
【図４】図４は、送信局１０から送出される、地域情報が重畳されたＴＳの構成例を示す図である。
【図５】図５は実施例１の中継局２０１のブロック図である。
【図６】図６は地域情報１２１及び地域情報２２１を部分受信階層に重畳した場合のＴＳの具体例を示した図である。
【図７】図７は実施例２における送信局のブロック図である。
【図８】図８は実施例２における中継局のブロック図である。
【図９】図９は実施例２の動作を説明する為の図である。
【図１０】図１０は実施例３における中継局のブロック図である。
【符号の説明】
【０１０２】
１０                送信局
２０１、２０２‥      中継局
３０                受信機
４０                放送波
４１１、４１２、‥    放送波
【図１】
2006217004.tif 000003
【図２】
2006217004.tif 000004
【図３】
2006217004.tif 000005
【図４】
2006217004.tif 000006
【図５】
2006217004.tif 000007
【図６】
2006217004.tif 000008
【図７】
2006217004.tif 000009
【図８】
2006217004.tif 000010
【図９】
2006217004.tif 000011
【図１０】
2006217004.tif 000012